(57)【要約】      （修正有）【課題】電線の端末部をリテーナに容易に取り付けることができるコネクタを提供する。【解決手段】第１の側壁３１と、第２の側壁３２と、この第２の側壁３２の中央部と第１の側壁３１の中央部とを接続し、２領域Ｘ、Ｙに区画する接続部３３と、この接続部３３により区画された２領域Ｘ、Ｙの一方Ｘを装着される端末部２２の小部屋Ｒ１ごとに区分けする一方側仕切り壁３４と、他方Ｙを装着される端末部２２の小部屋Ｒ２ごとに区分けする他方側仕切り壁３５と、一方側仕切り壁３４により区分けされた小部屋Ｒ１ごとに小部屋Ｒ１に装着された端末部２２が接続部３３から接続部３３と対向する外の方向への移動を阻止する第１のストッパーＳ１と、他方側仕切り壁３５により区分けされた小部屋Ｒ２ごとに小部屋Ｒ２に装着された端末部２２が接続部３３から接続部３３と対向する外の方向への移動を阻止する第２のストッパーと、を備える弾性変形可能なリテーナを有す。【選択図】図１
2016054057.tif 000002
【特許請求の範囲】
【請求項１】
複数の電線にそれぞれ接続した複数のクリンピングターミナルと、
この複数のクリンピングターミナルを装着するリテーナと、
前記クリンピングターミナルを前記リテーナに装着した状態で挿入装着するハウジングとを備えた複合ケーブル用のコネクタであって、
前記クリンピングターミナルは、ベース部と、このベース部から前記リテーナの側に向かう外形形状が略直方形状の端末部と、ベース部から前記リテーナの側とは反対の側に設けた電線を圧着した圧着部を有し、
前記リテーナは、弾性変形可能であって、第１の側壁と、この第１の側壁と対向するように設けられた第２の側壁と、この第２の側壁の中央部と前記第１の側壁の中央部とを接続し、２領域に区画する接続部と、この接続部により区画された前記２領域の一方を装着される前記端末部の小部屋ごとに区分けする一方側仕切り壁と、前記接続部により区画された前記２領域の他方を装着される前記端末部の小部屋ごとに区分けする他方側仕切り壁と、
前記一方側仕切り壁により区分けされた前記小部屋ごとに前記小部屋に装着された端末部が前記接続部から前記接続部と対向する外の方向への移動を阻止する第１のストッパーと、
前記他方側仕切り壁により区分けされた前記小部屋ごとに前記小部屋に装着された端末部が前記接続部から前記接続部と対向する外の方向への移動を阻止する第２のストッパーと、
を備えていることを特徴とするコネクタ。
【請求項２】
複数の電線にそれぞれ接続した複数のクリンピングターミナルと、
この複数のクリンピングターミナルを装着するリテーナと、
前記クリンピングターミナルを前記リテーナに装着した状態で挿入装着するハウジングとを備えた複合ケーブル用のコネクタであって、
前記クリンピングターミナルは、ベース部と、このベース部から前記リテーナの側に向かう外形形状が略直方形状の端末部と、ベース部から前記リテーナの側とは反対の側に設けた電線を圧着した圧着部を有し、
前記リテーナは、弾性変形可能であって、第１の側壁と、この第１の側壁と対向するように設けられた第２の側壁と、この第２の側壁の中央部と前記第１の側壁の中央部とを接続し、２領域に区画する接続部と、この接続部により区画された前記２領域の一方を装着される前記端末部の小部屋ごとに区分けする一方側仕切り壁と、前記接続部により区画された前記２領域の他方を装着される前記端末部の小部屋ごとに区分けする他方側仕切り壁と、
前記一方側仕切り壁により区分けされた前記小部屋ごとに前記小部屋に装着された端末部が前記ハウジングから前記複合ケーブル方向への移動を阻止する第３のストッパーと、
前記他方側仕切り壁により区分けされた前記小部屋ごとに前記小部屋に装着された端末部が前記ハウジングから前記複合ケーブル方向への移動を阻止する第４のストッパーと
を備えていることを特徴とするコネクタ。
【請求項３】
第３のストッパーとハウジングとの間に略直方形状の端末部が、
第４のストッパーとハウジングとの間に略直方形状の端末部が、
それぞれ、位置している
ことを特徴とする請求項２記載のコネクタ。
【請求項４】
複合ケーブルの外皮とリテーナとクリンピングターミナルとを樹脂で一体化した
ことを特徴とする請求項１又は請求項２記載のコネクタ。
【発明の詳細な説明】
【技術分野】
【０００１】
本発明は、コネクタに係り、特に、端末部をリテーナに容易に取り付けることができるコネクタに関する。
【背景技術】
【０００２】
従来、複数の電線にそれぞれ接続した複数のクリンピングターミナルと、当該複数のクリンピングターミナルを側部から装着するハウジングと、クリンピングターミナルをハウジングに装着した状態で挿入装着するケースとを備えた複合ケーブル用のコネクタがある（特許文献１参照）。
このコネクタは、クリンピングターミナルにコンタクト部と係着部とを設け、ハウジングに倒し込むようにしてハウジングの溝穴に係着部を差し込むようにし［特許文献１の図２（ａ）参照］、クリンピングターミナルにコンタクト部、係着部を装着し、装着後、ケースを特許文献１の図２（ｂ）に示す方向に移動させるようにしている。
【０００３】
【特許文献１】特開２００９−２８３３２５号公報  図１及び図２参照
【発明の概要】
【発明が解決しようとする課題】
【０００４】
しかしながら、係着部をハウジングの溝穴に差し込むときに、クリンピングターミナルが小型化されているため、挿入しづらいという問題点があった。
【０００５】
本発明は、上記の問題点を考慮してなされた端末部をリテーナに容易に取り付けることができるコネクタを提供することを目的とする。
【課題を解決するための手段】
【０００６】
請求項１記載のコネクタは、複数の電線にそれぞれ接続した複数のクリンピングターミナルと、この複数のクリンピングターミナルを装着するリテーナと、前記クリンピングターミナルを前記リテーナに装着した状態で挿入装着するハウジングとを備えた複合ケーブル用のコネクタであって、前記クリンピングターミナルは、ベース部と、このベース部から前記リテーナの側に向かう外形形状が略直方形状の端末部と、ベース部から前記リテーナの側とは反対の側に設けた電線を圧着した圧着部を有し、前記リテーナは、弾性変形可能であって、第１の側壁と、この第１の側壁と対向するように設けられた第２の側壁と、この第２の側壁の中央部と前記第１の側壁の中央部とを接続し、２領域に区画する接続部と、この接続部により区画された前記２領域の一方を装着される前記端末部の小部屋ごとに区分けする一方側仕切り壁と、前記接続部により区画された前記２領域の他方を装着される前記端末部の小部屋ごとに区分けする他方側仕切り壁と、前記一方側仕切り壁により区分けされた前記小部屋ごとに前記小部屋に装着された端末部が前記接続部から前記接続部と対向する外の方向への移動を阻止する第１のストッパーと、前記他方側仕切り壁により区分けされた前記小部屋ごとに前記小部屋に装着された端末部が前記接続部から前記接続部と対向する外の方向への移動を阻止する第２のストッパーとを備えているものである。
【０００７】
また、請求項２記載のコネクタは、複数の電線にそれぞれ接続した複数のクリンピングターミナルと、この複数のクリンピングターミナルを装着するリテーナと、前記クリンピングターミナルを前記リテーナに装着した状態で挿入装着するハウジングとを備えた複合ケーブル用のコネクタであって、前記クリンピングターミナルは、ベース部と、このベース部から前記リテーナの側に向かう外形形状が略直方形状の端末部と、ベース部から前記リテーナの側とは反対の側に設けた電線を圧着した圧着部を有し、前記リテーナは、弾性変形可能であって、第１の側壁と、この第１の側壁と対向するように設けられた第２の側壁と、この第２の側壁の中央部と前記第１の側壁の中央部とを接続し、２領域に区画する接続部と、この接続部により区画された前記２領域の一方を装着される前記端末部の小部屋ごとに区分けする一方側仕切り壁と、前記接続部により区画された前記２領域の他方を装着される前記端末部の小部屋ごとに区分けする他方側仕切り壁と、前記一方側仕切り壁により区分けされた前記小部屋ごとに前記小部屋に装着された端末部が前記ハウジングから前記複合ケーブル方向への移動を阻止する第３のストッパーと、 前記他方側仕切り壁により区分けされた前記小部屋ごとに前記小部屋に装着された端末部が前記ハウジングから前記複合ケーブル方向への移動を阻止する第４のストッパーとを備えているものである。
【０００８】
また、請求項３記載のコネクタは、請求項２記載のコネクタにおいて、第３のストッパーとハウジングとの間に略直方形状の端末部が、第４のストッパーとハウジングとの間に略直方形状の端末部が、それぞれ位置しているものである。
【０００９】
また、請求項４記載のコネクタは、請求項１又は請求項２記載のコネクタにおいて、複合ケーブルの外皮とリテーナとクリンピングターミナルとを樹脂で一体化したものである。
【発明の効果】
【００１０】
請求項１記載のコネクタによれば、端末部をリテーナに装着する際には、リテーナが弾性変形可能であるため、第１の側壁、第２の側壁、一方側仕切り壁、他方側仕切り壁の内、それぞれ対向する壁を撓ませて、端末部をリテーナの小部屋ごとに容易に取り付けることができ、装着した後は、端末部は、接続部から前記接続部と対向する外の方向への移動は第１のストッパー又は第２のストッパーにより、阻止されて、リテーナにおける端末部の保持が良好となり、リテーナとハウジングとの装着を容易に、しかも、確実に行うことができる。
【００１１】
また、請求項２記載のコネクタによれば、端末部をリテーナに装着する際には、リテーナが弾性変形可能であるため、第１の側壁、第２の側壁、一方側仕切り壁、他方側仕切り壁の内、それぞれ対向する壁を撓ませて、端末部をリテーナの小部屋ごとに容易に取り付けることができ、装着した後は、端末部は、ハウジングから複合ケーブル方向への移動は第３のストッパー又は第４のストッパーにより、阻止されて、リテーナにおける端末部の保持が良好となり、リテーナとハウジングとの装着を容易に、しかも、確実に行うことができる。
【００１２】
また、請求項３記載のコネクタによれば、上述した請求項２記載の発明の効果に加え、第３のストッパーとハウジングとの間に略直方形状の端末部が、第４のストッパーとハウジングとの間に略直方形状の端末部が、それぞれ位置し、ベース部からリテーナの側とは反対の側に圧着部を設けため、圧着時の電線のバラツキを第３のストッパー又は第４のストッパーのハウジングから遠い側で吸収して、組み立てを容易にすることができる。
【００１３】
また、請求項４記載のコネクタによれば、上述した請求項１又は請求項２記載の発明の効果に加え、複合ケーブルの外皮とリテーナとクリンピングターミナルとを樹脂で一体化したため、組み立て性が向上し、電線又は圧着部を樹脂で覆って芯線内部からの結露等による浸水防止をも図ることができる。
【図面の簡単な説明】
【００１４】
【図１】図１は、本発明の一実施例のコネクタのクリンピングターミナルをリテーナに装着する状態を示す概略的斜視図である。
【図２】図２は、図１のコネクタのクリンピングターミナルをリテーナに装着した状態を示す概略的斜視図である。
【図３】図３は、図２の概略的断面図である。
【図４】図４は、ハウジングを図２のリテーナに装着する状態を示す概略的斜視図である。
【図５】図５は、ハウジングをリテーナに装着した後、複合ケーブルの外皮とリテーナとクリンピングターミナルとを樹脂で一体化した状態を示す概略的斜視図である。
【図６】図６は、複合ケーブルの外皮とリテーナとクリンピングターミナルとを樹脂で一体化したコネクタにパッキンを装着した状態を示す概略的斜視図である。
【図７】図７は、図６をクリンピングターミナルの端末部の側から見た概略的斜視図である。
【図８】図８は、図６の概略的断面図である。
【発明を実施するための形態】
【００１５】
本発明の一実施例のコネクタを図面（図１乃至図８）を参照して説明する。 
図６乃至図８に示すＦは、電線（例えば、芯線）の接続部が凹になっているコネクタ（例えば、メスコネクタ）で、
コネクタＦは、複合ケーブル１０用のコネクタで、 複数の電線１にそれぞれ接続した複数のクリンピングターミナル（図１参照）２と、この複数のクリンピングターミナル２を装着するリテーナ３と、クリンピングターミナル２をリテーナ３に装着した状態で挿入装着するハウジング４（図４乃至図６、図８参照）とを備えている。
ハウジング４は、樹脂［例えば、ガラス入りＰＢＴ（ポリブチレンテレフタレート）樹脂］で形成されている。
【００１６】
クリンピングターミナル２は、図１乃至図３に示すように、ベース部２１と、このベース部２１からリテーナ３の側に向かう外形形状が略直方形状の端末部２２と、ベース部２２からリテーナ３の側とは反対の側に設けた電線１を圧着した圧着部２３を有している。
【００１７】
リテーナ３は、図１乃至図３に示すように、樹脂［例えば、ＰＢＴ（ポリブチレンテレフタレート）樹脂］で形成され、弾性変形可能なもので、第１の側壁３１と、この第１の側壁３１と対向するように設けられた第２の側壁３２と、この第２の側壁３２の中央部と第１の側壁３１の中央部とを接続し、２領域Ｘ、Ｙに区画する接続部３３と、この接続部３３により区画された２領域Ｘ、Ｙの一方Ｘを装着される端末部２２の小部屋Ｒ１ごとに区分けする一方側仕切り壁３４、３４と、接続部３３により区画された２領域Ｘ、Ｙの他方Ｙを装着される端末部２２の小部屋Ｒ２ごとに区分けする他方側仕切り壁３５、３５とを有している。
【００１８】
そして、一方側仕切り壁３４により区分けされた小部屋Ｒ１ごとに小部屋Ｒ１に装着された端末部２２が接続部３３から接続部３３と対向する外の方向（図２記載の太い矢印方向）の移動を阻止する第１のストッパーＳ１が設けられている。            
また、他方側仕切り壁３５により区分けされた小部屋Ｒ２ごとに小部屋Ｒ２に装着された端末部２２が接続部３３から接続部３３と対向する外の方向（図２記載の矢印と反対の方向）への移動を阻止する図示しない第２のストッパーが設けられている。
なお、図示しない第２のストッパーは、接続部３３を介して第１のストッパーＳ１と対称の第１の側壁３１又は他方側仕切り壁３５又は第２の側壁３２の下方の位置にある。
【００１９】
また、一方側仕切り壁３４により区分けされた小部屋Ｒ１ごとに小部屋Ｒ１に装着された端末部２２がハウジング４から複合ケーブル１０方向への移動を阻止する第３のストッパーＳ３が設けられている。
また、他方側仕切り壁３５により区分けされた小部屋Ｒ２ごとに小部屋Ｒ２に装着された端末部２２がハウジング４から複合ケーブル１方向への移動を阻止する第４のストッパーＳ４が設けられている。
【００２０】
従って、上述したコネクタＦによれば、端末部２２をリテーナ３に装着する際には、リテーナ３が弾性変形可能であるため、第１の側壁３１、第２の側壁３２、一方側仕切り壁３４、３４、他方側仕切り壁３５、３５の内、それぞれ対向する壁を撓ませて（例えば、図２の細い矢印方向）、端末部２２をリテーナ３の小部屋Ｒ１、Ｒ１、Ｒ１、Ｒ２、Ｒ２、Ｒ２ごとに容易に取り付けることができ、
装着した後は、端末部２２、２２、２２、２２、２２、２２は、接続部３３から接続部３３と対向する外の方向への移動は第１のストッパーＳ１又は図示しない第２のストッパーにより、ハウジング４から複合ケーブル１０方向への移動は第３のストッパーＳ３又は第４のストッパーＳ４により、それぞれ阻止されて、リテーナ３における端末部２２、２２、２２、２２、２２、２２の保持が良好となり、リテーナ３とハウジング４との装着を容易に、しかも、確実に行うことができる。
また、第３のストッパーＳ３とハウジング４との間に略直方形状の端末部２２が、第４のストッパーＳ４とハウジングとの間に略直方形状の端末部２２が、それぞれ位置し、ベース部２１からリテーナ２の側とは反対の側に圧着部２３を設けため、圧着時の電線のバラツキを第３のストッパーＳ３又は第４のストッパーＳ４のハウジング４から遠い側で吸収して、組み立てを容易にすることができる。
【００２１】
そして、図６乃至図８記載のコネクタを製造するには、先ず、ハウジング４を図４に示すようにリテーナ３に向かって移動させて、リテーナ３とハウジング４を装着した後、リテーナ３とハウジング４を装着した状態で図示しない金型を使用して樹脂［例えば、ＰＢＴ（ポリブチレンテレフタレート）樹脂］を流し込んで、コードブッシュ５を形成する。
その結果、複合ケーブル１０の外皮とリテーナ３とクリンピングターミナル２とを樹脂で一体化することができる。
これにより、組み立て性が向上し、電線１又は圧着部２３を樹脂で覆って電線内部からの結露等による浸水防止をも図ることができる。なお、図６乃至図８記載の６はパッキンである。
【００２２】
Ｆ      コネクタ
３      リテーナ
２２    端末部
３１    第１の側壁
３２    第２の側壁
３３    接続部
３４    一方側仕切り壁
３５    他方側仕切り壁
Ｘ      領域
Ｙ      領域
Ｒ１    小部屋
Ｒ２    小部屋
Ｓ１    第１のストッパー
Ｓ３    第３のストッパー
Ｓ４    第４のストッパー
４      ハウジング
１０    複合ケーブル
【図１】
2016054057.tif 000003
【図２】
2016054057.tif 000004
【図３】
2016054057.tif 000005
【図４】
2016054057.tif 000006
【図５】
2016054057.tif 000007
【図６】
2016054057.tif 000008
【図７】
2016054057.tif 000009
【図８】
2016054057.tif 000010